(57)【要約】【課題】旧いストライク装置が取り付けられていた既存の取付用凹部やビス孔を利用して、鎌錠付きのデッドボルトにも対応可能な新規の調整ストライクを簡単に取り付けることのできるストライク装置の交換方法を提供する。【解決手段】取付用凹部１１の上方及び下方に形成されたビス孔１２に固定された既設のストライク装置を取り外した後、ボルト挿通用開口７１と位置調整用ビス挿通切欠部７２とが形成された交換プレート７０を既存のビス孔１２に固定し、箱状のボルト受け部３２と位置調整用ビス孔３３とが形成されたトロカバー３０を交換プレート７０の裏側に当てがい、ボルト受け孔４３と位置調整用ビス挿通孔４５とが形成されたストライクプレート４０を交換プレート７０に重ね、トロカバー３０とストライクプレート４０とを、間に交換プレート７０を挟み込んだ状態で位置調整用ビス８０により結合する。【選択図】図１
2005180081.tif 000002
【特許請求の範囲】
【請求項１】
（１）ドア枠に設けられた取付用凹部の上方及び下方にビス孔が形成されて、このビス孔にビス固定された既設のストライク装置を、上記ビスを抜き取って取り外した後、
（２）上記取付用凹部と略同幅の板体に、ボルト挿通用開口と、その上下縁部に連続する位置調整用ビス挿通切欠部と、上記ドア枠のビス孔に合致する固定用ビス挿通孔とが形成されてなる交換プレートを、上記取付用凹部に重ねて上記ビス孔に固定用ビスで固定し、
（３）上記交換プレートのボルト挿通用開口よりも幅の小さい板体に、前面側に開口した箱状のボルト受け部と、交換プレートの位置調整用ビス挿通切欠部に臨む位置調整用ビス孔とが形成されてなるトロカバーを、上記交換プレートの裏側に当てがい、
（４）上記交換プレートのボルト挿通用開口よりも開口高さの小さいボルト受け孔と、位置調整用ビス挿通切欠部に臨む位置調整用ビス挿通孔とが形成されてなるストライクプレートを、上記交換プレートに重ね、
（５）上記トロカバーとストライクプレートとの間に交換プレートを挟み込んだ状態で、ストライクプレートの位置調整用ビス挿通孔に挿通した位置調整用ビスを、交換プレートの位置調整用ビス挿通切欠部を経由させ、トロカバーの位置調整用ビス孔に螺着することにより、ストライクプレート及びトロカバーを位置調整可能な状態で交換プレートに取り付けることを特徴とするストライク装置の交換方法。
【請求項２】
ストライクプレートのボルト受け孔の開口高さに対して、トロカバーのボルト受部の開口高さを十分に大きくしたことを特徴とする請求項１に記載のストライク装置の交換方法。
【発明の詳細な説明】
【技術分野】
【０００１】
本発明は、防犯対策等の目的で玄関ドア等の施錠装置を付け替えるに際して、ドア枠側のストライク装置を交換する方法に関する。
【背景技術】
【０００２】
開き戸式の玄関ドアにおける施錠装置は、通常、ドア建具の戸先側（吊元の反対側）に、箱錠と、それを操作するためのドアハンドルが取り付けられて、戸先側縦框の錠面（フロント）からラッチボルトやデッドボルトが出没するように構成される一方、ドア枠の受け面側には、デッドボルトやラッチボルトが係合し得るボルト受け孔が形成されたストライク装置が取り付けられる。かかるストライク装置のうち、ボルト受け孔の位置を微調整することが可能な、いわゆる調整ストライクの取付構造としては、例えば特許文献１〜３等に記載されたものが知られている。
【特許文献１】実開昭６３−２７６６１号公報
【特許文献２】実開平３−９３５７５号公報
【特許文献３】実開昭５７−１４６６６９号公報
【発明の開示】
【発明が解決しようとする課題】
【０００３】
近年では、空き巣や強盗犯が急増し、これらに対する防犯意識の高まりから、玄関ドア等の施錠装置を、それまでに取り付けられていたものから、より頑丈で、不正に解錠されにくいものに交換するケースが増えている。ドア側の施錠装置を交換した場合に、ドア枠側のストライク装置について生じる問題を、図面を参照しつつ以下に説明する。
【０００４】
従来より多くの玄関ドアに取り付けられている一般的なストライク装置は、図３〜図４に示すように、ドア枠１の受け面に、ラッチボルトやデッドボルトを挿入し得る取付用凹部１１を形成し、この取付用凹部１１の上方及び下方にビス孔１２をあけて、このビス孔１２にネコ板２をビス止めしている。ネコ板２は、トロカバー３及びストライクプレート４を取り付けるための支持部材で、上下それぞれ、高さ方向の略半分が取付用凹部１１の奥側に若干折り込まれて取付用凹部１１の内側に張り出し、この張出部分にタップ孔２１が切られている。
【０００５】
そして、箱状のボルト受け部３１が打ち出されたトロカバー３と、トロカバー３のボルト受け部３１と同寸か、それよりもひと回り小さいボルト受け孔４１が形成されたストライクプレート４とが、ネコ板２の張出部分に重ねられて、ネコ板２にビス止めされる。図３では図示を省略しているが、図４（ｂ）に示すように、ネコ板２に化粧プレート５を重ねて、ストライクプレート４と化粧プレート５を面一に仕上げる場合もある。また、図４（ｃ）に示すように、上下のネコ板２が、トロカバー３のボルト受け部３１をかわすように奥側に折り込まれた中間部分２２を介して一体に連続するように形成される場合もある。
【０００６】
このような従来のストライク装置には、まず、ストライクプレート４のボルト受け孔４１の位置を微調整する機能がない、という問題がある。ドア側の施錠装置を交換すると、ボルトの突出位置もわずかに変化する場合があるので、これに合わせてボルト受け孔４１の位置も移動させる必要が生じる。したがって、既設のストライク装置側に調整機能がなければ、ストライク装置も、新規の調整ストライクに交換せざるを得ない。しかしながら、上記特許文献１〜３に記載されたような調整ストライクを、既存のドア枠１に、既存の取付用凹部１１やビス孔１２をそのまま利用して取り付けることはできす、かといって、そのために現場で新たな孔加工等を行うのも困難である。
【０００７】
また、ドア側に新規に取り付けられる施錠装置は、防犯性を高めるため、図４（ｂ）に示したような鎌錠付きのデッドボルト５を採用しているものが多い。しかし、従来のストライク装置は、ストライクプレート４に形成されたボルト受け孔４１の開口寸法と、トロカバー３に形成されたボルト受け部３１の内寸とがほとんど同じなので、鎌錠の先端がトロカバー３のボルト受け部３１に干渉して、鎌錠を係止させることができない。したがって、この点からも、ストライク装置を、鎌錠付きのデッドボルト５に対応し得るものに交換する必要が生じる。
【０００８】
本発明は、このような事情に鑑みてなされたもので、その解決課題は、旧いストライク装置が取り付けられていた既存の取付用凹部やビス孔をそのまま利用して、鎌錠付きのデッドボルトにも対応しうる新規の調整ストライクを簡単に取り付けることのできる、ストライク装置の交換方法を提供することにある。
【課題を解決するための手段】
【０００９】
上記した目的を達成するため、本発明のストライク装置の交換方法は、
（１）ドア枠に設けられた取付用凹部の上方及び下方にビス孔が形成されて、このビス孔にビス固定された既設のストライク装置を、上記ビスを抜き取って取り外した後、
（２）上記取付用凹部と略同幅の板体に、ボルト挿通用開口と、その上下縁部に連続する位置調整用ビス挿通切欠部と、上記ドア枠のビス孔に合致する固定用ビス挿通孔とが形成されてなる交換プレートを、上記取付用凹部に重ねて上記ビス孔に固定用ビスで固定し、
（３）上記交換プレートのボルト挿通用開口よりも幅の小さい板体に、前面側に開口した箱状のボルト受け部と、交換プレートの位置調整用ビス挿通切欠部に臨む位置調整用ビス孔とが形成されてなるトロカバーを、上記交換プレートの裏側に当てがい、
（４）上記交換プレートのボルト挿通用開口よりも開口高さの小さいボルト受け孔と、位置調整用ビス挿通切欠部に臨む位置調整用ビス挿通孔とが形成されてなるストライクプレートを、上記交換プレートに重ね、
（５）上記トロカバーとストライクプレートとの間に交換プレートを挟み込んだ状態で、ストライクプレートの位置調整用ビス挿通孔に挿通した位置調整用ビスを、交換プレートの位置調整用ビス挿通切欠部を経由させ、トロカバーの位置調整用ビス孔に螺着することにより、ストライクプレート及びトロカバーを位置調整可能な状態で交換プレートに取り付けることを特徴とする。
【００１０】
さらに、本発明のストライク装置の交換方法は、上記ストライクプレートのボルト受け孔の開口高さに対して、トロカバーのボルト受部の開口高さを十分に大きくしたことを特徴とする。
【発明の効果】
【００１１】
上述のように構成される本発明のストライク装置の交換方法によれば、既設のストライク装置を取り外した跡に残る取付用凹部には一切の加工を施すことなく、既設のストライク装置を取り付けてあったビス孔を利用して、このビス孔に交換プレートをビス固定し、さらに、この交換プレートを表裏から挟み込むようにしてトロカバーとストライクプレートを取り付けることができるので、極めて簡単にストライク装置を交換することが可能になる。
【００１２】
また、この発明によれば、交換プレートに位置調整用ビス挿通切欠部が形成されているので、トロカバーとストライクプレートとを結合する位置調整用ビスを、この位置調整用ビス挿通切欠部の大きさの範囲内で上下左右に移動させることにより、ストライクプレートのボルト受け孔の位置を調整可能とすることができる。
【００１３】
さらに本発明において、ストライクプレートのボルト受け孔の開口高さに対して、トロカバーのボルト受部の開口高さを十分に大きくすることにより、鎌錠付きのデッドボルトを採用する場合でも、鎌錠の先端をトロカバーのボルト受け部に干渉させずに、鎌錠をストライクプレートに係止させることが可能になる。
【発明を実施するための最良の形態】
【００１４】
以下、本発明の実施の形態について図を参照して説明する。
【００１５】
既設のストライク装置の取付構造は、図３〜図４に示したとおりであって、ドア枠１のビス孔１２から固定用ビス６を抜き取ることにより既設のストライク装置が取り外される。そして、既存のドア枠１に残された取付用凹部１１と、その上方及び下方に形成されたビス孔１２を利用して、新規のストライク装置が取り付けられる。図１〜図２は、新規のストライク装置の取付構造を示す。
【００１６】
新規のストライク装置を構成する部材は、交換プレート７０、トロカバー３０、ストライクプレート４０、固定用ビス６０、及び位置調整用ビス８０である。
【００１７】
交換プレート７０は、取付用凹部１１と略同幅の強靱な金属板の略中央に、ボルト挿通用開口７１と、その上下縁部に連続する位置調整用ビス挿通切欠部７２とを形成し、上縁部及び下縁部には、ドア枠１のビス孔１２に合致する固定用ビス挿通孔７３を形成したものである。ボルト挿通用開口７１は、少なくとも、取り外した既設のストライク装置におけるトロカバー３のボルト受け部３１よりも開口寸法が大きく形成されている。位置調整用ビス挿通切欠部７２は、位置調整用ビス８０の軸径に適当なクリアランスを加えた幅に形成され、上下方向の寸法についても、上下の位置調整用ビス８０の間隔より僅かに大きくなるように形成されている。ただし、この位置調整用ビス挿通切欠部７２の形状は、例示のような矩形に限らず、例えば特許文献３に記載されたようなダルマ形などであってもよい。
【００１８】
この交換プレート７０は、ドア枠１の取付用凹部１１に重ねられ、固定用ビス挿通孔７３に挿通された上下の固定用ビス６０によって、既存のビス孔１２に固定される。例示の形態では、固定用ビス挿通孔７３は上下に各３個ずつ形成されているが、これは、既設のストライク装置に、年式によっては上下２本ずつの固定用ビス６で取り付けられているものがあるので、このようなタイプのビス孔にも対応できるようにしたものである。
【００１９】
なお、図１では図示を省略しているが、図２（ｂ）に示すように、交換プレート７０の上部及び下部にステンレス鋼板等からなる化粧プレート５０を重ねて、交換プレート７０と化粧プレート５０が面一に連続するように仕上げることもできる。
【００２０】
トロカバー３０は、交換プレート７０よりは薄い金属板等からなり、幅が交換プレート７０のボルト挿通用開口７１よりも小さく形成され、その略中央には、前面側に開口する箱状のボルト受け部３２が、プレス加工等によって成形されている。このボルト受け部３２の高さは、鎌錠付きのデッドボルト５に対応しうるように、既設のストライク装置におけるトロカバー３のボルト受け部３１の高さよりも大きくなるように形成されている。また、ボルト受け部３２の上方及び下方に張り出したフランジ状の部分には、交換プレート７０の位置調整用ビス挿通切欠部７２に臨むようにして、雌ねじタップの切られた位置調整用ビス孔３３が形成されている。
【００２１】
ストライクプレート４０は、例えばステンレス鋼板等からなり、ドア枠１の取付用凹部１１を被覆し得る幅に形成されて、開扉側の縁部４２がドア枠１の縁部に沿うように屈曲されている。ストライクプレート４０には、縦長矩形のボルト受け孔４３が形成されている。ボルト受け孔４３の開口寸法は、既設のストライク装置におけるストライクプレート４のボルト受け孔４１とほぼ同寸で、ボルト受け孔４３の四周縁部には、背面側に向かって折曲されたリブ４４が形成されている。このリブ４４は、鎌錠付きのデッドボルト５を採用した場合に、鎌錠が係止しても十分な強度が確保されるように設けられたものである。ストライクプレート４０の上部及び下部には、交換プレート７０の位置調整用ビス挿通切欠部７２に臨むようにして、皿状の位置調整用ビス挿通孔４５が形成されている。
【００２２】
ドア枠１にビス固定された交換プレート７０に対して、トロカバー３０とストライクプレート４０を取り付ける手順は以下の通りである。
【００２３】
まず、ストライクプレート４０の位置調整用ビス挿通孔４５に前面から位置調整用ビス８０を挿通し、位置調整用ビス８０の先端をトロカバー３０の位置調整用ビス孔３３に緩く螺着して、ストライクプレート４０とトロカバー３０とを仮止めしておく。そして、トロカバー３０を交換プレート７０の前面に当てがい、トロカバー３０を上下させながら交換プレート７０のボルト挿通用開口７１を通過させて、取付用凹部１１内に挿入する。これにより、位置調整用ビス８０によって仮止めされたトロカバー３０とストライクプレート４０とが、交換プレート７０を挟み込んだ状態になり、位置調整用ビス８０は交換プレート７０の位置調整用ビス挿通切欠部７２内に保持される。この状態で、ストライクプレート４０の位置を調整しながら位置調整用ビス８０を締結すると、トロカバー３０とストライクプレート４０とが交換プレート７０を挟んで固定される。ストライクプレート４０の位置は、交換プレート７０に形成された位置調整用ビス挿通切欠部７２の幅及び高さの範囲内で自由に調整することができる。
【００２４】
このように本発明によると、既存のドア枠１に設けられた取付用凹部１１が十分な大きさを有しており、その前面に既存のビス孔１２を利用して交換プレート７０を確実にビス固定することさえできれば、特に面倒な現場加工も要さずに、鎌錠付きのデッドボルト５にも対応可能な新規のストライク装置を取り付けることができ、かつ、その位置調整も可能になる。
【産業上の利用可能性】
【００２５】
本発明は、住宅等の建物において玄関ドア等の施錠装置を新規のものに交換する際に、施錠装置に合わせてドア枠側のストライク装置も調整ストライクに交換するのに好適な技術であるから、建物の中長期的なメンテナンスにおいて極めて有用である。
【図面の簡単な説明】
【００２６】
【図１】本発明に係る新規のストライク装置の構成を示す分解斜視図である。
【図２】上記新規のストライク装置の取付状態を示す図であって、（ａ）は正面図、（ｂ）は縦断面図である。
【図３】本発明に係る既設のストライク装置の構成を示す分解斜視図である。
【図４】上記既設のストライク装置の取付状態を示す図であって、（ａ）は正面図、（ｂ）は縦断面図、（ｃ）は類似形態の縦断面図である。
【符号の説明】
【００２７】
１    ドア枠
１１  取付用凹部
１２  ビス孔
３０  トロカバー
３２  ボルト受け部
３３  位置調整用ビス孔
４０  ストライクプレート
４３  ボルト受け孔
４５  位置調整用ビス挿通孔
６０  固定用ビス
７０  交換プレート
７１  ボルト挿通用開口
７２  位置調整用ビス挿通切欠部
７３  固定用ビス挿通孔
８０  位置調整用ビス
【図１】
2005180081.tif 000003
【図２】
2005180081.tif 000004
【図３】
2005180081.tif 000005
【図４】
2005180081.tif 000006